(57)【要約】【課題】  使用時には軟質プラスチック製連結部材を硬質プラスチック製中空状板部材の側面に挟んでしまうことにより、軟質プラスチック製連結部材からの熱発散を防止して保温性能が優れたシャッター式浴槽蓋を提供する【解決手段】  複数の硬質プラスチック製中空状板部材１０，…をそれぞれ軟質プラスチック製連結部材２０，…にて連結して巻き込み可能にした浴槽蓋において、前記軟質プラスチック製連結部材は隣接する一方の硬質プラスチック製中空状板部材の下端部１４と連結されているとともに、隣接する他方の硬質プラスチック製中空状板部材の側面１６と連結されている。【選択図】  図１
2007014551.tif 000002
【特許請求の範囲】
【請求項１】
複数の硬質プラスチック製中空状板部材をそれぞれ軟質プラスチック製連結部材にて連結して巻き込み可能にした浴槽蓋において、前記軟質プラスチック製連結部材は隣接する一方の硬質プラスチック製中空状板部材の下端部と連結されているとともに、隣接する他方の硬質プラスチック製中空状板部材の側面部と連結されていることを特徴とするシャッター式浴槽蓋。
【請求項２】
前記隣接する他方の硬質プラスチック製中空状板部材の側面部には、前記軟質プラスチック製連結部材が収納できるよう下部側が上部側よりも凹むように形成された段差部を有することを特徴とする請求項１記載のシャッター式浴槽蓋。
【発明の詳細な説明】
【技術分野】
【０００１】
本発明は、浴槽内の湯の保温をするために使用するシャッター式浴槽蓋に関するものである。
【背景技術】
【０００２】
浴槽内の湯の保温をするために、一般に浴槽上端面に密接するように下面が平面状をなした浴槽蓋が使用されているが、この蓋が一体的に形成され、かつ全体に中空部が形成されている場合には、重くて取扱いが困難なところから、複数枚に分割した浴槽蓋が広く使用されている。
【０００３】
この場合において、浴槽蓋が分割された状態のままであるときには、使用に際して各浴槽蓋同士を密接するように配置することが容易でなく、少しでも隙間ができてしまうとその隙間から放熱が多くなるところから、分割した浴槽蓋を軟質プラスチック製連結部材にて連結して放熱を抑制する配慮がなされている。
【０００４】
しかも、このように軟質プラスチック製連結部材で連結することにより、その箇所で巻き込み可能とすることができるところから、使用に際しての取扱いの便利さについての配慮もなされている。例えば、本出願人は特許文献１などのシャッター式浴槽蓋を提案している。
【０００５】
【特許文献１】特開平１１−２４４１６８号公報
【０００６】
しかしながら、このようなシャッター式浴槽蓋にも改善の余地があり、例えば軟質プラスチック製連結部材の部分の厚さが他の部分よりも薄いため、この箇所から熱発散が生じやすいので、全体に中空部を有する浴槽蓋に比して保温性能が劣るという問題があった。
【発明の開示】
【発明が解決しようとする課題】
【０００７】
本発明は、上記のような従来の欠点を改善して、硬質プラスチック製中空状板部材を軟質プラスチック製連結部材にて連結することにより放熱を抑制するという利点を保持し、かつ巻き込み可能で収納が便利という利点をも保持するとともに、さらに使用時には軟質プラスチック製連結部材を硬質プラスチック製中空状板部材の側面に挟んでしまうことにより、軟質プラスチック製連結部材からの熱発散を防止して保温性能が優れており、さらに巻き込み収納時にはいずれの方向にも巻き込むことが可能なシャッター式浴槽蓋を提供することを目的とするものである。
【課題を解決するための手段】
【０００８】
本発明は上記の目的を達成するものであって、請求項１の発明は、複数の硬質プラスチック製中空状板部材をそれぞれ軟質プラスチック製連結部材にて連結して巻き込み可能にした浴槽蓋において、前記軟質プラスチック製連結部材は隣接する一方の硬質プラスチック製中空状板部材の下端部と連結されているとともに、隣接する他方の硬質プラスチック製中空状板部材の側面部と連結されていることを特徴とする折り畳み式浴槽蓋である。
【０００９】
請求項２の発明は、前記隣接する他方の硬質プラスチック製中空状板部材の側面部には、前記軟質プラスチック製連結部材が収納できるよう下部側が上部側よりも凹むように形成された段差部を有することを特徴とする請求項１記載の折り畳み式浴槽蓋である。
【発明の効果】
【００１０】
本発明のシャッター式浴槽蓋は、硬質プラスチック製中空状板部材を軟質プラスチック製連結部材にて連結することにより放熱を抑制するという利点を保持し、かつ巻き込み可能で収納が便利という利点をも保持するとともに、さらに使用時には軟質プラスチック製連結部材を硬質プラスチック製中空状板部材の側面に挟んでしまうことにより、軟質プラスチック製連結部材からの熱発散を防止することが可能である。さらに浴槽蓋の巻き込み収納時にはいずれの方向にも巻き込むことができるので、巻き込み収納時における同方向への過度の繰り返しの巻き込みによる損傷の発生を防止することも可能である。
【発明を実施するための最良の形態】
【００１１】
以下、本発明を図示の実施例に従って詳細に説明する。
図１，図２において、１は本発明のシャッター式浴槽蓋であり、該シャッター式浴槽蓋１は、複数の硬質プラスチック製中空状板部材１０，…を軟質プラスチック製連結部材２０，…にて連結して巻き込み可能に形成したものである。
【００１２】
硬質プラスチック製中空状板部材１０，…は、硬質プラスチックからなるものであって、例えばアクリロニトリル・ブタジエン・スチレン樹脂（ＡＢＳ）、ポリスチレン（ＰＳ）、ポリプロピレン（ＰＰ）、ポリ塩化ビニル（ＰＶＣ）などが例示されるが、これに限らない。硬質プラスチック製中空状板部材１０，…は、内部に中空部１１を有するように成形されている。このように、中空状に成形されているため、軽量で、保温効果が優れている。
【００１３】
中空部１１の形状を補強するために、補強桟１２が上下方向と左右方向に設けられていることが望ましい。さらに、左右方向の補強桟１２は、上下方向の熱伝導を防止するので、断熱効果に優れた浴槽蓋を得ることを可能にするものである。
【００１４】
硬質プラスチック製中空状板部材１０，…は、長手方向の任意の個所における断面が同一形状をなしていることが望ましく、この場合には、押出成形が可能であり、大量生産が可能となる。この場合には、長尺状に押出成形され、所望の長さで切断されて、図３に示すように、キャップ１３が接着、融着等により固着される。
【００１５】
さらに、硬質プラスチック製中空状板部材１０，…の下面１４は、浴槽の上端面に密接しやすいように平面状をなしていることが望ましい。
【００１６】
硬質プラスチック製中空状板部材１０，…のいずれか一方の側面１５には、段差部１６が形成されており、この段差部１６は下部側が上部側よりも凹むように形成されている。硬質プラスチック製中空状板部材１０，…の側面１５は、上方側においては隣接したものと密着し得るように垂直状などとなっていることが望ましい。
【００１７】
図１、図２において、軟質プラスチック製連結部材２０，…は、軟質合成樹脂からなるものであって、例えばスチレン系エラストマー、オレフィン系エラストマー、ポリ塩化ビニル系エラストマーが例示されるが、これに限らない。長手方向の任意の個所における断面が同一形状をなしていることが望ましく、この場合には、押出成形が可能であり、大量生産が可能となる。
【００１８】
軟質プラスチック製連結部材２０，…の端部は、隣接する一方の硬質プラスチック製中空状板部材１０，…の下端部１４と連結されているとともに、隣接する他方の硬質プラスチック製中空状板部材１０，…の側面１５、特に望ましくは、段差部１６と連結されている。軟質プラスチック製連結部材２０，…は、硬質プラスチック製中空状板部材１０，…の下端部１４に所望の長さにわたって接合していても良い。
このように、硬質プラスチック製中空状板部材１０，…と軟質プラスチック製連結部材２０，…との間には隙間が生ずることがなく、連結されているため、放熱を可及的に抑制することができる。
【００１９】
軟質プラスチック製連結部材２０，…の長さは、硬質プラスチック製中空状板部材１０，…の段差部１６のある方の側面１５の下部側の高さとほぼ合致していることが望ましく、この場合には、図２に示すように、硬質プラスチック製中空状板部材１０，…同士を密接させて浴槽の上に載置したとき、軟質プラスチック製連結部材２０，…が硬質プラスチック製中空状板部材１０，…の下部側側面１５同士の間隙に丁度収納されることとなり、軟質プラスチック製連結部材２０，…からの放熱を防止することができるという利点を有する。
【００２０】
硬質プラスチック製中空状板部材１０，…と軟質プラスチック製連結部材２０，…との連結手段は、各種の手段を採用することが可能であり、軟質プラスチック製連結部材２０，…と硬質プラスチック製中空状板部材１０，…とを、同時押し出し成形により一体的に成形してもよく、同時押し出し成形した後、高周波誘電加熱等によって所望の長さに順次連結することもできる。あるいは硬質プラスチック製中空状板部材１０，…と軟質プラスチック製連結部材２０，…とをそれぞれ別個に成形して、接着、融着、嵌合、連結具などの各種の手段により連結することも可能である。
【００２１】
図１，図２に示すように、軟質プラスチック製連結部材２０，…のうちの端部にあるものの一端には、係合用突起部２１を形成し、硬質プラスチック製中空状板部材１０，…のうちの反対側の端部にあるものの側面には、係合用突起部２１が係合可能な係合用凹部１７などを形成することにより、所望の幅の浴槽蓋とすることができる。
【図面の簡単な説明】
【００２２】
【図１】本発明のシャッター式浴槽蓋の一例のキャップを取り付けていない状態を示す側面図である。
【図２】図１のシャッター式浴槽蓋の使用態様を示す説明図である。
【図３】図２のシャッター式浴槽蓋のキャップを付けた状態を示す部分切欠した概略平面図である。
【符号の説明】
【００２３】
１：シャッター式浴槽蓋
１０，…：硬質プラスチック製中空状部材
１１：中空部
１２：補強桟
１３：キャップ
１４：下面
１５：側面
１６：段差部
１７：係合用凹部
２０，…：軟質プラスチック製連結部材
２１：係合用突起
【図１】
2007014551.tif 000003
【図２】
2007014551.tif 000004
【図３】
2007014551.tif 000005